(57)【要約】      （修正有）【課題】ドライブ装置の小型軽量化を維持したまま、ドライブ装置から発生する騒音を実質的に低減することができる電子機器及び電子機器の防音方法を提供すること。【解決手段】メインユニットの正面全体を覆うカバー２８３の裏面、つまりメインユニットの正面と対向する面である壁部２９２、２９３に、穴２９５と空洞部から構成されハードディスクドライブ装置の騒音のピークとなる周波数の音を吸音するヘルムホルツの共鳴器を設けたので、騒音を効果的に低減することができる。特に、カバー２８３はメインユニットの正面全体を覆うものであるから、壁部２９２、２９３の面積も大きく、より多数のヘルムホルツの共鳴器を設けることができ、吸音性能をより高めることができる。【選択図】  図７
2008090931.tif 000002
【特許請求の範囲】
【請求項１】
記録媒体を記録・再生するためのドライブ装置と、
前記ドライブ装置から発生する音のうち、所定の周波数の音を吸音するためのヘルムホルツの共鳴器を有する吸音部材と
を具備することを特徴とする電子機器。
【請求項２】
請求項１に記載の電子機器において、
前記ドライブ装置が、ハードディスクドライブ装置である
ことを特徴とする電子機器。
【請求項３】
請求項１に記載の電子機器において、
前記電子機器の正面に設けられた開口からドライブ装置の出し入れが可能であり、
前記電子機器の正面全体を覆い、前記電子機器から着脱可能であり、前記電子機器の正面と対向する面に前記吸音部材が設けられた第１の蓋を更に具備する
ことを特徴とする電子機器。
【請求項４】
請求項３に記載の電子機器において、
前記電子機器の正面に、電子機器の内部に冷却用の気体を導入するための吸引口が設けられ、
前記電子機器の内部で前記吸引口の近くに設けられた冷却用のファンを更に具備する
ことを特徴とする電子機器。
【請求項５】
請求項３に記載の電子機器において、
前記電子機器の正面の開口に着脱自在に設けられた第２の蓋を更に具備する
ことを特徴とする電子機器。
【請求項６】
請求項５に記載の電子機器において、
前記第２の蓋は、金属製の蓋及びプラスチック製の蓋からなる
ことを特徴とする電子機器。
【請求項７】
請求項１に記載の電子機器において、
前記電子機器の正面に設けられた開口からドライブ装置の出し入れが可能であり、
前記開口から着脱可能であり、前記開口と対向する面に前記吸音部材が設けられた蓋を更に具備する
ことを特徴とする電子機器。
【請求項８】
請求項１に記載の電子機器において、
前記ドライブ装置を収容し、前記ドライブ装置と対向する面に前記吸音部材が設けられたケースを更に具備する
ことを特徴とする電子機器。
【請求項９】
ドライブ装置により記録媒体を記録・再生し、
ヘルムホルツの共鳴器により、前記ドライブ装置から発生する音のうち、所定の周波数の音を吸音する
ことを特徴とする電子機器の防音方法。
【発明の詳細な説明】
【技術分野】
【０００１】
本発明は、例えばパーソナルコンピュータに代表されるハードディスクドライブ装置などを有する電子機器及びそのような電子機器の防音方法に関する。
【背景技術】
【０００２】
従来から、パーソナルコンピュータなどでは、データを記録する手段として主としてハードディスクドライブ装置が用いられている。最近では、データの大容量化に伴い、パーソナルコンピュータなどに複数のハードディスクドライブ装置を搭載することも多くなってきている。また、これらのハードディスクドライブ装置の着脱を簡単に行うために、パーソナルコンピュータなどの正面側からハードディスクドライブ装置の出し入れを可能とするような要請もある。
【０００３】
このように複数のハードディスクドライブ装置をパーソナルコンピュータなどの正面側、つまりユーザに近い位置に配置すると、これらのハードディスクドライブ装置から発生する騒音が問題となってくる。特に、最近のパーソナルコンピュータなどの処理の高速化に伴い、発熱量が非常に大きくなってきており、内部に冷却用の気体を取り入れるために筐体の密閉性が低くなりつつあり、騒音がさらに問題になると予想される。
【０００４】
そこで、ハードディスクドライブ装置の周囲を取り囲むように防音部材を取り付けることが考えられる。（例えば、特許文献１参照。）。  
【特許文献１】特開２００６−１８５５７１号公報（段落[００２３]、図３）
【発明の開示】
【発明が解決しようとする課題】
【０００５】
しかしながら、ハードディスクドライブ装置の周囲を取り囲むように単に防音部材を取り付けただけでは、上記のような複数搭載、正面側配置、筐体の低密閉性などを考慮すると、防音対策としては不十分であると予想される。そこで、上記の防音部材を使って満足できる遮音性能を得ようとすると、防音部材を含めたハードディスクドライブ装置は、非常に大きく、かつ重くなると考えられる。そうすると、パーソナルコンピュータなどに搭載可能なハードディスクドライブ装置の数が減り、またパーソナルコンピュータなどからのハードディスクドライブ装置の出し入れも不便になる。
【０００６】
以上のような事情に鑑み、本発明の目的は、ドライブ装置の小型軽量化を維持したまま、ドライブ装置から発生する騒音を実質的に低減することができる電子機器及び電子機器の防音方法を提供することにある。
【課題を解決するための手段】
【０００７】
本発明者らは、ハードディスクドライブ装置に代表されるドライブ装置は、特定の周波数に騒音のピークがあり、そのピークにある騒音を低減させれば、ユーザの騒音に対する感覚がかなり低減されることを見出した。ユーザの騒音に対する感覚が低減することとは、騒音を実質的に低減することを意味する。
【０００８】
上記の目的を達成するため、本発明に係る電子機器は、記録媒体を記録・再生するためのドライブ装置と、前記ドライブ装置から発生する音のうち、所定の周波数の音を吸音するためのヘルムホルツの共鳴器を有する吸音部材とを具備する。
【０００９】
本発明では、ドライブ装置から発生する音のうち、所定の周波数の音、例えば騒音のピークとなる周波数の音を吸音するためのヘルムホルツの共鳴器を有する吸音部材を用いているので、ユーザの騒音に対する感覚がかなり低減される。従って、ドライブ装置の小型軽量化を維持したまま、ドライブ装置から発生する騒音を実質的に低減することができる。
【００１０】
本発明は、前記ドライブ装置が、ハードディスクドライブ装置であることを特徴とする。
【００１１】
本発明では、ハードディスクドライブ装置は特に特定の周波数に強い騒音のピークがあることから、ヘルムホルツの共鳴器を有する吸音部材を用いて騒音を実質的に低減することは特に意義がある。
【００１２】
本発明は、前記電子機器の正面に設けられた開口からドライブ装置の出し入れが可能であり、前記電子機器の正面全体を覆い、前記電子機器から着脱可能であり、前記電子機器の正面と対向する面に前記吸音部材が設けられた第１の蓋を更に具備することを特徴とする。
【００１３】
本発明では、電子機器の正面全体を覆う第１の蓋の面積は非常に大きいことから、吸音部材により多くのヘルムホルツの共鳴器を設けることができ、吸音性能を高めることができる。また、ドライブ装置に吸音のための手段を設けたのではないので、ドライブ装置の小型軽量化を維持することができる。
【００１４】
本発明は、前記電子機器の正面に、電子機器の内部に冷却用の気体を導入するための吸引口が設けられ、前記電子機器の内部で前記吸引口の近くに設けられた冷却用のファンを更に具備することを特徴とする。
【００１５】
本発明では、電子機器の冷却能力を高めつつ、騒音を実質的に低減することができる。
【００１６】
本発明は、前記電子機器の正面の開口に着脱自在に設けられた第２の蓋を更に具備することを特徴とし、例えば前記第２の蓋は、金属製の蓋及びプラスチック製の蓋からなることを特徴とする。
【００１７】
本発明は、第２の蓋により低周波成分の騒音の低減を図ることができる。
【００１８】
本発明は、前記電子機器の正面に設けられた開口からドライブ装置の出し入れが可能であり、前記開口から着脱可能であり、前記開口と対向する面に前記吸音部材が設けられた蓋を更に具備することを特徴とする。
【００１９】
本発明では、ドライブ装置により近い位置にヘルムホルツの共鳴器を設けたので、騒音が拡散する前に騒音を低減することができ、吸音性能を高めることができる。また、ドライブ装置に吸音のための手段を設けたのではないので、ドライブ装置の小型軽量化を維持することができる。
【００２０】
本発明は、前記ドライブ装置を収容し、前記ドライブ装置と対向する面に前記吸音部材が設けられたケースを更に具備することを特徴とする。
【００２１】
本発明では、ドライブ装置に最も近い位置にヘルムホルツの共鳴器を設けたので、騒音が拡散する前に最も効果的に騒音を低減することができ、吸音性能を高めることができる。
【００２２】
本発明の別の観点に係る電子機器の防音方法は、ドライブ装置により記録媒体を記録・再生し、ヘルムホルツの共鳴器により、前記ドライブ装置から発生する音のうち、所定の周波数の音を吸音することを特徴とする。
【００２３】
本発明では、ユーザの騒音に対する感覚がかなり低減され、ドライブ装置の小型軽量化を維持したまま、ドライブ装置から発生する騒音を実質的に低減することができる。
【発明の効果】
【００２４】
本発明によれば、ドライブ装置の小型軽量化を維持したまま、ドライブ装置から発生する騒音を実質的に低減することができる。
【発明を実施するための最良の形態】
【００２５】
以下、本発明の実施の形態を図面に基づき説明する。      
図１は本発明の一実施形態に係るパーソナルコンピュータの構成を示すブロック図である。      
図１に示すように、このパーソナルコンピュータ１００は、メインユニット２００と、アクセスユニット３００と、これらメインユニット２００とアクセスユニット３００とを接続するためのケーブル４００とを有する。このパーソナルコンピュータ１００では、メインユニット２００とアクセスユニット３００とが物理的に分離し、メインユニット２００とアクセスユニット３００とがケーブル４００を介して電気的に接続されている。
【００２６】
メインユニット２００は、ＣＰＵなどが搭載されたマザーボード２１０と、ドライブ装置としてのハードディスクドライブ装置２２１〜２２４（図示されていないが主として４台）と、パーソナルコンピュータ１００を構成する各部に電力を供給するための電源供給部２３０と、パーソナルコンピュータ１００をオン／オフ／スタンバイモードとするための第１の電源スイッチ２４０とを有する。
【００２７】
マザーボード２１０には、第１の電源スイッチ２４０と後述するアクセスユニット３００側の第２の電源スイッチとを同一の機能とするための、つまり第２の電源スイッチもパーソナルコンピュータ１００をオン／オフ／スタンバイモードとするための電源スイッチとして機能させるためのシステム電源コントロール回路２１１を有する。
【００２８】
電源供給部２３０は、メインユニット２００の各部ばかりでなく、ケーブル４００を介してアクセスユニット３００の各部へも電力を供給している。
【００２９】
アクセスユニット３００は、ＣＤやＤＶＤなどの光学的記録媒体が着脱自在で光学的記録媒体からのデータの読み出し及び光学的記録媒体へのデータの書き込みを行うための光ディスクドライブ装置３１１、３１２（図示されていないが２台）と、ＩＥＥＥ１３９４ポート３２０と、ＵＳＢポート３３１〜３３４（図示されていないが４個）と、各種の可搬タイプのフラッシュメモリカードからのデータの読み出し及びフラッシュメモリカードへのデータの書き込みを行うためのマルチカードリーダ３４０と、ＰＣＭＣＩＡカードからのデータの読み出し及びＰＣＭＣＩＡカードへのデータの書き込みを行うためのＰＣＭＣＩＡカードバス３５０と、マイク端子３６２及びヘッドホン端子３６１と、パーソナルコンピュータ１００をオン／オフ／スタンバイモードとするための第２の電源スイッチ３７０とを有する。
【００３０】
光ディスクドライブ装置３１１、３１２はＳＡＴＡ／ＰＡＴＡコントローラ３１３を介して、ＩＥＥＥ１３９４ポート３２０は１３９４コントローラ３２１を介して、ＵＳＢポート３２１〜３２４及びマルチカードリーダ３４０はＵＳＢコントローラ３２５を介してイ、ＰＣＭＣＩＡカード３５０はＰＣＭＣＩＡカードバス３５１を介して、メインユニット２００のマザーボード２１０と接続される。
【００３１】
モニタ５０１及びスピーカ５０２は、メインユニット２００に接続され、キーボード５０３及びマウス５０４は、ＵＳＢポートを介してメインユニット２００及びアクセスユニット３００のいずれにも接続可能である。
【００３２】
図２は図１に示したメインユニット２００の内部構成を示す平面図、図３はメインユニット２００の正面図である。    
図２に示すように、メインユニット２００は、平面からみて左右に領域が分かれている。ここで、メインユニット２００の正面から見て左側の領域を第１の領域２５１、メインユニット２００の正面から見て右側の領域を第２の領域２５２とする。
【００３３】
第１の領域２５１には、マザーボード２１０が底部に配置され、第２の領域２５２の電源供給部２３０と隣接する領域２５３には、拡張ボード２５４が最大５枚配置可能である。拡張ボード２５４は、マザーボード２１０の拡張ボード用のソケット（図示せず）に挿入されマザーボード２１０から立てた状態で配置される。そして、メインユニット２００の背面側に拡張ボード２５４の外部とのインターフェース面が露出するようになっている。
【００３４】
第１の領域２５１の正面側には、２つの冷却用のファン２５５、２５６が配置されている。ファン２５５は、主としてマザーボード２１０を冷却するためのファンであり、ファン２５６は、主として拡張ボード２５４を冷却するためのファンである。この実施形態では、ファン２５５の方がファン２５６よりも大きく、より多くの熱を発生するＣＰＵを搭載するマザーボード２１０の方の冷却能力が高められている。第１の領域２５１の背面側は、多数の孔が設けられた板金からなり（図示を省略）、この孔が実質的に第１の領域２５１における排気口である。
【００３５】
なお、第１の領域２５１の背面側左隅上部には、ハードディスクドライブ装置２５７が上部から吊り下げられるように２台上下に重ねて搭載可能とされている。
【００３６】
第２の領域２５２では、第２の領域２５２の正面側にハードディスクドライブ装置２２１〜２２４を収容するケース２６０が配置され、第２の領域２５２の背面側に電源供給部２３０が配置されている。
【００３７】
ケース２６０は、図４に示すように、上下左右を複数の孔が設けられた板金で囲まれ正面側と背面側が開口するケース本体２６１と、ケース本体２６１の正面側の開口に着脱可能に設けられ、複数の孔（実質的に第２の領域２５２における吸気口）が設けられた板金からなる蓋２６２とを有する。このケース２６０内にハードディスクドライブ装置２２１〜２２４を立てた状態でスライドして収容し、ハーネス（図示せず）により接続する。従って、このパーソナルコンピュータ１００では、メインユニット２００の正面側からハードディスクドライブ装置２２１〜２２４の着脱が可能である。
【００３８】
第２の領域２５２の背面側に配置された電源供給部２３０の上部には、冷却用のファン２６３が設けられている。冷却用のファン２６３は、電源供給部２３０内に気体を吸引する。電源供給部２３０内に吸引された気体は、メインユニット２００の背面側から排出される。
【００３９】
電源供給部２３０が配置された空間は、例えばＰＥＴからなる遮蔽部材２６４により覆われている。遮蔽部材２６４は、例えば電源供給部２３０が配置された空間の上部及び第１の領域２５１とを仕切る部材である。遮蔽部材２６４は、第１の領域２５１側の上部で第１の領域２５１側の拡張ボード２５４に対応する位置に多数の孔２６５が設けられている。この孔２６５は、冷却ファン２６３が第１の領域２５１側から気体を引き込むためのものである。これにより、拡張ボード２５４を補助的に冷却することが可能である。また、遮蔽部材２６４の下部の所定の位置には第１の領域２５１側からハーネス（図示せず）を通すための孔（切欠き）２６６が設けられている。
【００４０】
以上のケース２６０の第１の領域２５１側の壁及び遮蔽部材２６４の第１の領域２５１側の壁により、第１の領域２５１と第２の領域２５２とが遮蔽されている。これにより、第１の領域２５１と第２の領域２５２とをそれぞれ個別的に冷却制御をすることができる。すなわち、より細やかな冷却制御を行うことができ、冷却効率の向上及びファンの騒音の低減を図ることができる。
【００４１】
図３に示すように、メインユニット２００の正面の第１の領域２５１側には、その下部にＩＥＥＥ１３９４ポート２７１、４つのＵＳＢポート２７２〜２７５、ＲＣＡ端子２７７〜２７９、Ｓ−ＶＩＤＥＯ端子２７６が水平方向に順番に配置され、その中段の左端側（第２の領域２５２とは反対側）に第１の電源スイッチ２４０が配置されている。
【００４２】
図５に示すように、メインユニット２００の正面の第１の領域２５１に対応する表面には、縦方向に冷却用の気体を内部に導入するための縦孔２８１が多数設けられたプラスチック製のカバー２８０が配置されている。メインユニット２００の正面の第２の領域２５２に対応する表面には、プラスチック製のカバー２８２が着脱可能に配置されている。なお、上記のカバー２８２及び蓋２６２が、第２の蓋に相当する。
【００４３】
カバー２８２は、例えばカバー２８２の右端（第１の領域２５１とは反対側）裏面の上下に設けられた突起部（図示せず）がメインユニット２００の対応する位置に設けられた穴（図示せず）に係合し、カバー２８０のカバー２８２と隣接する位置に設けられたスライドスイッチ（図示せず）がカバー２８２側に突出することで、カバー２８２がメインユニット２００に固定されるようになっている。カバー２８２を外し、図４に示したように蓋２６２を外すことで、ハードディスクドライブ装置２２１〜２２４をメインユニット２００の正面から出し入れできる。
【００４４】
メインユニット２００の正面には、その正面全体を覆う第１の蓋としてのカバー２８３が着脱可能に配置されている。カバー２８３の裏面の左右の上下には、それぞれ突起部２８９がメインユニット２００の対応する位置に設けられた穴２９０に係合することで、カバー２８３がメインユニット２００に固定されるようになっている。
【００４５】
カバー２８３は、その上下に傾斜面２８４、２８５を有し、各傾斜面２８４、２８５には、ＩＥＥＥ１３９４ポート２７１、ＵＳＢポート２７２〜２７５、ＲＣＡ端子２７７〜２７９、Ｓ−ＶＩＤＥＯ端子２７９にアクセス可能とするため、及び気体を流通可能とするための孔２８６、２８７がそれぞれ３つ設けられている。
【００４６】
カバー２８３の第１の電源スイッチ２４０に対応する位置には、電源スイッチ２８８が設けられている。電源スイッチ２８８は、カバー２８３の裏面で第１の電源スイッチ２４０に当接する突起部（後述する）を有し、電源スイッチ２８８を押すことで突起部が第１の電源スイッチ２４０に当接して第１の電源スイッチ２４０が押される。
【００４７】
図６はカバー２８３の裏面側の斜視図、図７はカバー２８３の裏面を示した背面図である。なお、この裏面がメインユニット２００の正面と対向する面である。
【００４８】
これらの図に示すように、カバー２８３の裏面側には、既に説明したように上下に孔２８６、２８７がそれぞれ３つ設けられ、左右の端にそれぞれ突起部２８９が上下に２つ設けられている。
【００４９】
カバー２８３の裏面の中央には、補強用の凸部２９１がカバー２８３のほぼ左端と右端との間を連ねるように設けられている。この凸部２９１によりカバー２８３の裏面では、上下に壁部２９２、２９３が分断されている。なお、凸部２９１の頂部の所定の位置には、上記の第１の電源スイッチ２４０に当接することが可能な突起部２９４が設けられている。
【００５０】
各壁部２９２、２９３には、それぞれ、複数の円形の穴２９５が千鳥状に上下２列設けられている。また、カバー２８３の左端表面（第２の領域２５２に対向する側）には、上下に板状部材２９６が設けられ、板状部材２９６にも上下に穴２９５が複数設けられている。
【００５１】
図８は壁部２９２、２９３の部分的な断面図である。図９は穴２９５の周囲の拡大図である。    
壁部２９２、２９３は、プラスチック製の第１の層２９７ａと、プラスチック製の第２の層２９７ｂと、カバー２８３の表面でもあるアルミニウム製の第３の層（化粧板）２９７ｃとから構成される。第１の層２９７ａとプラスチック製の第２の層２９７ｂとを重ね合わせた位置には、穴２９５に連通し、穴２９５よりも径が大きい円筒状の空洞部２９８が設けられている。第１の層２９７ａとプラスチック製の第２の層２９７ｂとを重ね合わせた構造により空洞部２９８を構成することで、空洞部２９８を容易に製造することが可能となる。
【００５２】
本実施形態においては、穴２９５及びこの穴２９５に連通する空洞部２９８によりヘルムホルツの共鳴器２９９を構成している。
【００５３】
このヘルムホルツの共鳴器２９９は、ハードディスクドライブ装置２２１〜２２４の騒音を低減している。特に、このヘルムホルツの共鳴器２９９は、ハードディスクドライブ装置２２１〜２２４の騒音のピークとなる周波数の音を吸音している。ここでは、２．６ｋＨｚ程度の周波数の音を吸音するように、ヘルムホルツの共鳴器２９９を構成している。そのために穴２９５及び空洞部２９８の寸法を以下の通りとした。
穴２９５の入り口の半径R1＝１mm      
穴２９５の入り口の長さL1＝１ｍｍ      
空洞部２９８の半径R2＝７．５ｍｍ      
空洞部２９８の長さL2＝３ｍｍ      
空洞部２９８の体積V2＝５３０ｍｍ３ 
ここで、音の速さC＝３４０ｍ／ｓとし、周知のヘルムホルツの共鳴器の理論式に導入すると、      
穴２９５を考慮しない場合は、      
周波数ｆ＝４１６５．５９６０９９Ｈｚ      
となり、穴２９５を考慮して補正すると、      
補正周波数ｆａ＝２５９８．０２４９８Ｈｚ      
となる。
【００５４】
このように本実施形態では、メインユニット２００の正面全体を覆うカバー２８３の裏面、つまりメインユニット２００の正面と対向する面である壁部２９２、２９３に、ハードディスクドライブ装置２２１〜２２４の騒音のピークとなる周波数の音を吸音するヘルムホルツの共鳴器２９９を設けたので、騒音を効果的に低減することができる。特に、カバー２８３はメインユニット２００の正面全体を覆うものであるから、壁部２９２、２９３の面積も大きく、より多数のヘルムホルツの共鳴器２９９を設けることができ、吸音性能をより高めることができる。
【００５５】
また、本実施形態では、特にカバー２８３の左端表面（第２の領域２５２に対向する側）に、つまりハードディスクドライブ装置２２１〜２２４により近い位置に、ヘルムホルツの共鳴器２９９が複数設けられた板状部材２９６を配置したので、吸音性能を更に高めることができる。
【００５６】
更には、ハードディスクドライブ装置２２１〜２２４は、カバー２８２及び蓋２６２により覆われているので、これらカバー２８２及び蓋２６２により特に低周波の騒音を低減することができる。加えて、実質的にメインユニット２００の正面を二重に覆うこととなるカバー２８３自体も騒音を低減する効果がある。
【００５７】
本発明者らの実験結果によると、以下の通りである。      
（１）カバー２８３の裏面のヘルムホルツの共鳴器２９９により２．６ｋＨｚ周辺の周波数の騒音は約１ｄＢ程度低減した。
（２）カバー２８２及び蓋２６２により騒音は約２ｄＢ程度低減した（特定の周波数ではない）。
（３）カバー２８３により騒音は約３ｄＢ程度低減した（特定の周波数ではない）。
【００５８】
なお、当然であるが、上記のヘルムホルツの共鳴器２９９の形状や寸法、数、配置方法などは一例に過ぎず、さまざまな形態に変形して実施することができ、その実施の範囲も当然本発明の技術思想の範囲に含まれる。
【００５９】
図１０は図１に示したアクセスユニット３００の内部構成を示す平面図、図１１はアクセスユニット３００の正面図である。
【００６０】
図１０及び図１１に示すように、アクセスユニット３００では、光ディスクドライブ装置３１１、３１２がアクセスユニット３００の正面側から記録媒体の出し入れが可能なように並列に２台配置されている。なお、この光ディスクドライブ装置３１１、３１２に代えてハードディスクドライブ装置を配置しても勿論かまわない。
【００６１】
アクセスユニット３００の正面の下部右側から順番にＩＥＥＥ１３９４ポート３２０、２つのＵＳＢポート３３１、３３２、マイク端子３６２、ヘッドホン端子３６１が配置されている。これらのポートや端子の上には、第２の電源スイッチ３７０、更にその上にはマルチカードリーダ３４０のカード挿入口が配置されている。ＰＣＭＣＩＡカードバス３５０のカード挿入口及び残りの２つのＵＳＢポート３３３、３３４は、アクセスユニット３００の背面に配置されている。また、アクセスユニット３００内の背面側で光ディスクドライブ装置３１１、３１２の裏側の位置には冷却用のファン３８０が配置されている。
【００６２】
なお、メインユニット２００とアクセスユニット３００とを接続するためのケーブル４００は、メインユニット２００及びアクセスユニット３００のそれぞれの背面に設けられたケーブルコネクタ（図示せず）に接続されるようになっている。
【００６３】
図１２はメインユニット２００の冷却制御系の構成及び冷却用の気体の流れを示した概念的な平面図である。    
メインユニット２００の第１の領域２５１のマザーボード２１０上にＣＰＵ２１２が配置され、横にはファン２５５が配置されている。このＣＰＵ２１２の近傍には、第１の領域２５１の温度、特にＣＰＵ２１２近傍の温度を検出するための温度センサ６０１が配置されている。マザーボード２１０上の拡張ボード用のソケットの近傍に第１の領域２５１の温度、特に、拡張ボード近傍の温度を検出するための温度センサ６０２が配置されている。メインユニット２００の第２の領域２５２の電源供給部２３０の中には、第２の領域２５２の温度、特に電源供給部２３０の中、及び流入する気体の温度を検出するための温度センサ６０３が配置されている。
【００６４】
この温度センサ６０１〜６０３の検出結果は、主としてＣＰＵ２１２から構成される制御部６０４に伝えられる。制御部６０４は、この検出結果に基づいてそれぞれの領域２５１、２５２等が所定の温度を超えないように、各ファン２５５、２５６、２６３の回転数を制御する。
【００６５】
メインユニット２００内では、上記のように第１の領域２５１と第２の領域とを実質的に遮蔽すると共に、第１の領域２５１と第２の領域２５２とで別個のファンを用いて冷却し、更には第１の領域２５１においては２つのファン２５５、２５６により領域を２つに分けて別々に冷却を行っている。
【００６６】
従って、図１２に示ように主としてメインユニット２００内では３つの冷却気体の流れが生じる。ファン２５５により第１の領域２５１のＣＰＵ２１２を含んだメインユニット２００の正面から背面への冷却気体の流れ６１１、ファン２５６により第１の領域２５１の拡張ボードを含んだメインユニット２００の正面から背面への冷却気体の流れ６１２、ファン２６３により第２の領域２５２のメインユニット２００の正面から背面への冷却気体の流れ６１３の３つである。第２の領域２５２においては、正面が気体を流通させるための孔のないカバー２８２により覆われているため、第１の領域２５１の正面側からカバー２８２の裏面（ケース２６０の表面側）に流れ、第２の領域２５２内に気体が流れ込んでいく。
【００６７】
このように構成されたパーソナルコンピュータ１００では、メインユニット２００に発熱量の大きく、ユーザの直接手に触れることがほとんどないデバイスである例えばマザーボード２１０や電源供給部２３０を配置し、アクセスユニット３００には発熱量が小さく、ユーザのアクセスの頻度の大きな着脱可能な記録媒体のドライブ装置である光ディスクドライブ装置３１１、３１２やマルチカードリーダ３４０を配置し、しかもメインユニット２００とアクセスユニット３００の両方に電源スイッチを設けたので、パーソナルコンピュータ１００内のデバイスの配置の自由度を高めて効率的な冷却を行うことが可能となり、パーソナルコンピュータ１００の電源のオン／オフの操作が容易となる。特に、アクセスユニット３００が通常ユーザの近くに配置されると想定されるので、アクセスユニット３００に電源スイッチを設けたことで、操作性が非常に向上する。ここで、パーソナルコンピュータ１００内のデバイスの配置の自由度とは、例えばメインユニット２００内をマザーボード２１０を第１の領域２５１に、電源供給部２３０やハードディスクドライブ装置２２１〜２２４を第２の領域２５２に配置し、例えばこれらの領域を遮蔽するようなことである。
【００６８】
また、このパーソナルコンピュータ１００では、アクセスユニット３００はメインユニット２００の電源供給部２３０から電力が供給されようにし、１本のケーブル４００で、メインユニット２００とアクセスユニット３００とを間でデータのやり取り及びメインユニット２００の電源供給部２３０からアクセスユニット３００への電力の供給を行うようにしたので、配線をシンプルにすることができる。つまり、アクセスユニット３００に設けられた光ディスクドライブ装置３１１、３１２やマルチカードリーダ３４０をそれぞれ別個の装置としてそれぞれをメインユニット２００に接続するようにした場合に、データ線や電力線が非常に多くなってしまう。これに対して、本実施形態では、１本のケーブル４００を用いるだけでよくなる。
【００６９】
なお、本発明は、上記の実施形態に限定されるものではなくその技術思想の範囲内で様々に変形して実施することが可能である。
【００７０】
上記実施形態では、メインユニット２００のカバー２８３の裏面にヘルムホルツの共鳴器２９９を設けるように構成したが、例えば図１３に示すように、ハードディスクドライブ装置２２１〜２２４の出し入れを行うための開口を覆うカバー２８２の裏面に多数の穴２９５を設け、図８及び図９に示した構成と同様の構成のヘルムホルツの共鳴器２９９を設けてもよい。この場合、ハードディスクドライブ装置２２１〜２２４に対してメインユニット２００のカバー２８３よりもより近い位置にあるカバー２８２にヘルムホルツの共鳴器２９９を設けたので、より効果的に特定周波数の騒音を吸音することが可能である。
【００７１】
また、ハードディスクドライブ装置２２１〜２２４を収容するケース２２１ａ〜２２４ａの裏面、すなわちハードディスクドライブ装置２２１〜２２４と対向する面に多数の穴２９５を設け、図８及び図９した構成と同様の構成のヘルムホルツの共鳴器２９９を設けてもよい。この場合、ハードディスクドライブ装置２２１〜２２４に対して最も近い位置にあるケース２２１ａ〜２２４ａにヘルムホルツの共鳴器２９９を設けたので、更に効果的に特定周波数の騒音を吸音することが可能である。
【００７２】
更に、上記の実施形態として、ドライブ装置の一例としてハードディスクドライブ装置を例にとり説明したが、他の記録媒体、例えば光ディスクなど駆動するためのドライブ装置にも当然本発明を適用することが可能である。
【図面の簡単な説明】
【００７３】
【図１】本発明の一実施形態に係るパーソナルコンピュータの構成を示すブロック図である。
【図２】図１に示したメインユニットの内部構成を示す平面図である。
【図３】図１に示したメインユニットの正面図である。
【図４】図２及び図３に示した第２の領域の構成を示す概略的斜視図である。
【図５】図１に示したメインユニットの外観を示す概略的斜視図である。
【図６】図５に示したメインユニットの正面全面を覆うカバーの裏面側の斜視図である。
【図７】図５に示したメインユニットの正面全面を覆うカバーの裏面を示した背面図である。
【図８】図６及び図７に示した壁部の部分的な断面図である。
【図９】図６及び図７に示した壁部の穴の周囲の拡大図である。
【図１０】図１に示したアクセスユニットの内部構成を示す平面図である。
【図１１】図１に示したアクセスユニットの正面図である。
【図１２】図１に示したメインユニット内での冷却気体の流れを説明するための図である。
【図１３】他の実施形態に係るハードディスクドライブ装置の出し入れ用の開口を覆うカバーの裏面側の斜視図である。
【図１４】他の実施形態に係るハードディスクドライブ装置を収容するケースの斜視図である。
【符号の説明】
【００７４】
１００  パーソナルコンピュータ
２００  メインユニット
２２１〜２２４  ハードディスクドライブ装置
２２１ａ〜２２４ａ  ハードディスクドライブ装置のケース
２５１  第１の領域
２５２  第２の領域
２５５、２５６  ファン
２６２  蓋
２８２  カバー
２８３  カバー
２９２、２９３  壁部
２９５  穴
２９６  板状部材
２９７ａ  第１の層
２９７ｂ  第２の層
２９７ｃ  第３の層
２９８  空洞部
２９９  ヘルムホルツの共鳴器
【図１】
2008090931.tif 000003
【図２】
2008090931.tif 000004
【図３】
2008090931.tif 000005
【図４】
2008090931.tif 000006
【図５】
2008090931.tif 000007
【図６】
2008090931.tif 000008
【図７】
2008090931.tif 000009
【図８】
2008090931.tif 000010
【図９】
2008090931.tif 000011
【図１０】
2008090931.tif 000012
【図１１】
2008090931.tif 000013
【図１２】
2008090931.tif 000014
【図１３】
2008090931.tif 000015
【図１４】
2008090931.tif 000016